【手続補正書】
【提出日】平成25年4月22日(2013.4.22)
【手続補正１】
【補正対象書類名】特許請求の範囲
【補正対象項目名】全文
【補正方法】変更
【補正の内容】
【特許請求の範囲】
【請求項１】
エアロゾル容器の上側にあるエアロゾルバルブを駆動させるためのエアロゾルアクチュエータであって、このアクチュエータは、
組み合わせられる上側部分と下側部分とを具備し、
前記下側部分は、前記エアロゾル容器に装着可能であり、
前記上側部分は、前記下側部分に装着され、また、
前記上側部分は、前記エアロゾルバルブを駆動させるための第１の位置と、このエアロゾルバルブが駆動されることができない第２の位置との間で、前記下側部分に対して回転可能であり、
前記上側部分は、一体部材であり、
この上側部分は、前記エアロゾルバルブを駆動させるように、前記第１の位置で垂直方向に全体として押し下げ可能であり、
前記下側部分は、前記エアロゾルバルブに一端側で接続可能な一体的な生成物チャネルと、他端側で生成物を排出するためのノズルとを有し、
前記上側部分は、垂直に押し下げられたとき、前記エアロゾルバルブを駆動させるために、前記生成物チャネルを押し下げるように動作し、
前記生成物チャネルは、生成物チャネルと連結され、垂直方向に延びた複数の可撓性のばね部材を有し、
前記上側部分は、前記上側部分が前記第１の位置へと回転されたときのみ、前記複数のばね部材に重なり、接触し、これらばね部材をわずかに押し下げる、複数の対応するばね付勢部材を有し、
前記複数のばね部材は、前記生成物チャネルの部材が、引き続き生成物を分散するように、押し下げられていない位置に戻るときを含めて、前記上側部分が前記第１の位置にあるとき、前記複数のばね付勢部材を付勢することで、前記上側部分を上向きに付勢する、エアロゾルアクチュエータ。
【請求項２】
前記上側部分は、下向きに垂下しているシリンダを有し、
前記下側部分は、駆動時に前記上側部分を安定にさせ、かつ垂直に維持するのを補助するように、前記下向きに垂下しているシリンダ内に係合する上向きに延びたシリンダを有する請求項１のエアロゾルアクチュエータ。
【請求項３】
エアロゾル容器の上側にあるエアロゾルバルブを駆動させるためのエアロゾルアクチュエータであって、このアクチュエータは、
組み合わせられる上側部分と下側部分とを具備し、
前記下側部分は、前記エアロゾル容器に装着可能であり、
前記上側部分は、前記下側部分に装着され、また、
前記上側部分は、前記エアロゾルバルブを駆動させるための第１の位置と、このエアロゾルバルブを駆動させることができない第２の位置との間で、前記下側部分に対して回転可能であり、
前記下側部分は、内側縁部を有する内側のリングを有し、
前記上側部分は、下側周縁部と下向きに延びた複数の可撓性の接続フランジとを有し、これら接続フランジは、このような接続フランジの各々の下側端部の近くで、外向きかつ上向きに向けられたリブを有し、
前記下向きに延びた複数の可撓性の接続フランジは、前記下側周縁部から径方向にオフセットされて、前記下側周縁部との間にギャップを規定し、
前記上向きに向けられた複数のリブは、前記上側部分と前記下側部分とを接続するように、前記内側のリングの前記内側縁部の下に延びており、
前記下向きに延びた複数の接続フランジは、複数の支持フランジによって、前記上側部分に取着されており、
各接続フランジの所定の支持フランジは、停止部材としても機能し、
前記下側部分は、複数の停止部材としても機能する一対の直立した垂直な翼フランジを有し、
前記上側部分及び前記下側部分の所定の前記複数の停止部材は、前記第１の位置及び前記第２の位置で、前記上側部分の回転を終わらせるように動作する、エアロゾルアクチュエータ。
【請求項４】
エアロゾル容器の上側にあるエアロゾルバルブを駆動させるためのエアロゾルアクチュエータであって、このアクチュエータは、
組み合わせられる上側部分と下側部分とを具備し、
前記下側部分は、前記エアロゾル容器に装着可能であり、
前記上側部分は、前記下側部分に装着され、また、
前記上側部分は、前記エアロゾルバルブを駆動させるための第１の位置と、このエアロゾルバルブを駆動させることができない第２の位置との間で、前記下側部分に対して回転可能であり、
前記下側部分は、内側縁部を有する内側の部分的なリングを有し、
前記上側部分は、下向きに延びた複数の可撓性の接続フランジを有し、これら接続フランジは、このような接続フランジの各々の下側端部の近くで、外向きかつ上向きに向けられたリブを有し、
前記上向きに向けられた複数のリブは、前記上側部分と前記下側部分とを接続するように、前記内側の部分的なリングの前記内側縁部の下に延びており、
前記下向きに延びた複数の接続フランジは、複数の支持フランジによって、前記上側部分に取着されており、
各接続フランジの所定の支持フランジは、停止部材としても機能し、
前記下側部分は、複数の停止部材としても機能する一対の直立した垂直な翼フランジを有し、
前記上側部分及び前記下側部分の所定の前記複数の停止部材は、前記第１の位置及び前記第２の位置で、前記上側部分の回転を終わらせるように動作し、
前記上側部分は、この上側部分に対して上向きに延びた複数の窪みを有する下側周縁部を有し、
前記下側部分は、その下側の壁から内側に延びた側部の複数のリブを有し、
前記複数の窪みは、前記上側部分が前記第１の位置にあるときのみ、前記複数のリブに重なり、前記上側部分を押し下げる駆動により、分散のために前記上側部分と前記下側部分とを位置調整するように、前記複数の窪みを前記複数のリブの上にそれぞれ位置させる、エアロゾルアクチュエータ。
【請求項５】
前記上側に延びた複数の窪みは、前記上側部分を押し下げる駆動の間、前記上側部分と下側部分とを位置調整するのを容易にするように、下側から上側に複数の狭い引込部を有する請求項４のエアロゾルアクチュエータ。
【請求項６】
エアロゾル容器の上側にあるエアロゾルバルブを駆動させるためのエアロゾルアクチュエータであって、このアクチュエータは、
前記エアロゾル容器に装着される下側部分と、
駆動位置と非駆動位置との間で、前記下側部分に対して回転軸について回転する、前記下側部分に装着される上側部分と、
を具備し、
前記下側部分は、複数のリブによって内側のリング部材のスカートに固定された外側スカートを具備することで、前記外側スカートと前記内側のリング部材の前記スカートとの間に環状のギャップを規定し、また、
前記上側部分は、離間されかつ湾曲した複数の窪みを有する下側周縁部を具備し、
これらの窪みは、複数の周縁セグメントを規定し、
前記上側部分は、前記下側部分に装着されると、前記下側周縁部が前記環状のギャップで受けられ、
前記内側のリングは、内側縁部を有し、
前記上側部分は、下向きに延びた複数の可撓性の接続フランジを有し、
これら接続フランジは、このような接続フランジの各々の下側端部の近くで、外向きかつ上向きに向けられたリブを有し、
前記上向きに向けられた複数のリブは、前記上側部分と前記下側部分とを接続するように、前記内側のリングの前記内側縁部の下に延びており、
前記下向きに延びた複数の接続フランジは、複数の支持フランジによって、前記上側部分に取着されており、
各接続フランジの所定の支持フランジは、停止部材としても機能し、
前記下側部分は、複数の停止部材としても機能する一対の直立した垂直な翼フランジを有し、
前記上側部分及び前記下側部分の所定の前記複数の停止部材は、前記第１の位置及び前記第２の位置で、前記上側部分の回転を終わらせるように動作する、エアロゾルアクチュエータ。
【請求項７】
前記上側部分が前記駆動位置にあるときには、前記複数の窪みが前記複数のリブとアライメントされて、前記上側部分が、前記複数のリブ間に位置する前記複数の周縁セグメントを有する前記複数のリブに対して上から下向きに動く前記湾曲した複数の窪みと一緒に、前記下側部分に対して垂直に押し下げられることができ、また、
前記上側部分が前記非駆動位置にあるときには、前記複数の周縁セグメントは、前記複数のリブの上側とアライメントされ、かつ前記複数のリブの上側に位置されて、前記上側部分が、前記下側部分に対して垂直に押し下げられることができない請求項６のエアロゾルアクチュエータ。
【請求項８】
前記上側部分は、一体部材であり、
この上側部分は、前記エアロゾルバルブを駆動させるように、前記駆動位置で垂直方向に全体として押し下げ可能であり、
前記下側部分は、前記エアロゾルバルブに一端側で接続可能な一体的な生成物チャネルと、他端側で生成物を排出するためのノズルとを有し、
前記上側部分は、垂直に押し下げられたとき、前記エアロゾルバルブを駆動させるために、前記生成物チャネルを押し下げるように動作し、
前記生成物チャネルは、生成物チャネルと連結され、垂直方向に延びた複数の可撓性のばね部材を有し、
前記上側部分は、前記上側部分が前記駆動位置へと回転されたときのみ、前記複数のばね部材に重なり、接触し、これらばね部材をわずかに押し下げる、複数の対応するばね付勢部材を有し、
前記複数のばね部材は、前記生成物チャネルの部材が、引き続き生成物を分散するように、押し下げられていない位置に戻るときを含めて、前記上側部分が前記駆動位置にあるとき、前記複数のばね付勢部材を付勢することで、前記上側部分を上向きに付勢する請求項６のエアロゾルアクチュエータ。
【請求項９】
前記上側部分は、下向きに垂下しているシリンダを有し、
前記下側部分は、駆動時に前記上側部分を安定にさせ、かつ垂直に維持するのを補助するように、前記下向きに垂下しているシリンダ内に係合する上向きに延びたシリンダを有する請求項８のエアロゾルアクチュエータ。
【請求項１０】
前記下側部分と前記上側部分との一方上のクリックポストと、
前記下側部分と前記上側部分との他方上の可撓性のクリックリブと、
をさらに具備し、
前記クリックポストは、前記上側部分の一方の回転方向で、前記可撓性のクリックリブを前記回転軸の方へ係合しかつ撓ませるための第１の面と、前記上側部分の反対の回転方向で、前記可撓性のクリックリブを前記回転軸から離れる方へ係合しかつ撓ませるための第２の面と、を有する請求項８のエアロゾルアクチュエータ。
【請求項１１】
前記下側部分と前記上側部分との一方上のクリックポストと、
前記下側部分と前記上側部分との他方上の可撓性のクリックリブと、
をさらに具備し、
前記クリックポストは、前記上側部分の一方の回転方向で、前記可撓性のクリックリブを前記回転軸の方へ係合しかつ撓ませるための第１の面と、前記上側部分の反対の回転方向で、前記可撓性のクリックリブを前記回転軸から離れる方へ係合しかつ撓ませるための第２の面と、を有する請求項６のエアロゾルアクチュエータ。